(57)【要約】      （修正有）【課題】身体の不自由な方の昇り降りが容易にでき、玄関の上り框近傍に設置でき、ガタつきなく安定して床面に設置できる介護用手摺り、あるいは両側手摺り、片側手摺りとしても使用できる突っ張り棒を備えた介護用手摺りを提供する。【解決手段】少なくとも手摺り部１と支柱部２を備えた介護用手摺りであって、支柱部２の上部に手摺り部１を備え、支柱部２は上部支柱と脚柱とから構成され、上部支柱は、縦支柱３の上部と縦支柱３に固定され上方にＬ字形状に曲げられているＬ字支柱４で構成され、または、Ｕ字形状に曲げられたＵ字支柱で構成されている上部支柱を備えた介護用手摺り、あるいは基板の両側又は片側に支柱部２を着脱可能に立設し、支柱部２の上部に上下に高さ調整できる手摺り部１を備え、基板の一辺に長さを調整できる突っ張り棒を備えた。【選択図】図１
2011220090.tif 000002
【特許請求の範囲】
【請求項１】
少なくとも手摺り部と支柱部を備えた介護用手摺りであって、該支柱部の上部に手摺り部を備え、該支柱部は上部支柱と脚柱とから構成され、該上部支柱は、縦支柱の上部と該縦支柱に固定され上方にＬ字形状に曲げられているＬ字支柱で構成され、または、Ｕ字形状に曲げられたＵ字支柱で構成されている上部支柱であることを特徴とする介護用手摺り。
【請求項２】
前記支柱部が、縦支柱と、一端が該縦支柱に固定され他端が上方にＬ字形状に曲げられているＬ字支柱と、一端が該縦支柱に固定され他端が下方にＬ字形状に曲げられているＬ字脚柱とで構成され、Ｌ字支柱とＬ字脚柱とがＬ字形状の一辺を接合して固定することを特徴とする請求項１記載の介護用手摺り。
【請求項３】
前記支柱部が、Ｕ字形状に曲げられたＵ字支柱と、Ｕ字形状に曲げられた逆Ｕ字脚柱とで構成され、Ｕ字支柱と逆Ｕ字脚柱とがＵ字形状の一辺を接合して固定することを特徴とする請求項１記載の介護用手摺り。
【請求項４】
基板の両側又は片側に前記支柱部を着脱可能に立設し、該支柱部の上部に上下に高さ調整できる手摺り部を備え、該基板の一辺に長さを調整できる突っ張り棒を備えたことを特徴とする請求項１乃至３記載の介護用手摺り。
【請求項５】
前記支柱部に補助支柱を設けたことを特徴とする請求項４記載の介護用手摺りである。
【発明の詳細な説明】
【発明の詳細な説明】
【技術分野】
【０００１】本発明は、高齢者や身体障害者が建物内の玄関等、段差のある場所での昇り降りに適した介護用手摺りに関する。
【背景技術】
【０００２】玄関等の段差部には、老人や身体障害者の昇り降りを介助するために、壁に沿わせて昇降用の手摺りが配設されている。特許文献１（特許３１２１２７６号）に記載されたものは、前後一対の脚柱と手摺り本体からなり、前後一対の脚柱は横桟により連結固定されている。そして、前側の脚柱の下端は玄関床に当設され、後ろ側の脚柱の下端には断面Ｌ字形のブラケットを取り付けて該ブラケットを上り框に当設して固定している玄関ホール昇降用手すりである。【０００３】また、特許文献２（特開２００９−１５５９５１号）に記載されたものは、前後一対の脚柱と手摺り本体からなり、前後一対の脚柱は横桟により連結固定されている。そして、手摺り本体の下側に床面に垂下される脚柱を有する立ち上がり部を設け、床面に載置される基板に立設支持するとともに、立ち上がり部を壁に突っ張り支持している。【０００４】
【特許文献１】特許第３１２１２７６号公報
【特許文献２】特開２００９−１５５９５１号公報
【発明が解決しようとする課題】
【０００５】特許文献１および２に記載されたものは、手摺り部分が脚注に固定されているため、問題は生じないが、手摺り部を上下にスライドして高さ調整を行う場合、手摺り下部に形成されるステーと上部支柱との嵌合が難しくガタつきが生じ易く、ガタつきをなくすには支柱間の寸法を精巧に出さねばならず、加工工程に手間がかかりコストアップになるなどの課題がある。
【課題を解決するための手段】
【０００６】本発明は、従来の上記課題を解決する手段として、請求項１に記載の本発明は、少なくとも手摺り部と支柱部を備えた介護用手摺りであって、該支柱部の上部に手摺り部を備え、該支柱部は上部支柱と脚柱とから構成され、該上部支柱は、縦支柱の上部と該縦支柱に固定され上方にＬ字形状に曲げられているＬ字支柱で構成され、または、Ｕ字形状に曲げられたＵ字支柱で構成されている上部支柱であることを特徴とする介護用手摺りである。
【０００７】請求項２に記載の本発明は、前記支柱部が、縦支柱と、一端が該縦支柱に固定され他端が上方にＬ字形状に曲げられているＬ字支柱と、一端が該縦支柱に固定され他端が下方にＬ字形状に曲げられているＬ字脚柱とで構成され、Ｌ字支柱とＬ字脚柱とが、Ｌ字形状の一辺を接合して固定することを特徴とする請求項１記載の介護用手摺りである
【０００８】請求項３に記載の本発明は、前記支柱部が、Ｕ字形状に曲げられたＵ字支柱と、Ｕ字形状に曲げられた逆Ｕ字脚柱とで構成され、Ｕ字支柱と逆Ｕ字脚柱とがＵ字形状の一辺を接合して固定することを特徴とする請求項１記載の介護用手摺りである
【０００９】請求項４に記載の本発明は、基板の両側又は片側に前記支柱部を着脱可能に立設し、該支柱部の上部に上下に高さ調整できる手摺り部を備え、該基板の一辺に長さを調整できる突っ張り棒を備えたことを特徴とする請求項１乃至３記載の介護用手摺りである。
【００１０】請求項５に記載の本発明は、前記支柱部に補助支柱を設けたことを特徴とする請求項４記載の介護用手摺りである。
【００１１】請求項１記載の発明によれば、支柱部は上部支柱と脚柱とから構成され、上部支柱がＬ字支柱またはＵ字支柱で構成されているため、前の支柱と後の支柱の軸芯距離が寸法精度よく加工され、支柱部と手摺りステーとの嵌合がスムースに行える。また、溶接個所が少なくすることができ加工工程が省力化でき、コストダウンが図れる。
【００１２】請求項２及び３記載の発明によれば、上部支柱の一辺と脚柱の一辺との間で接合することができ、溶接又はボルトナット、ネジ等により強固に固定できるので支柱部がねじれなどに対して強く耐えることができる。また、前記接合部分は座った位置で把手部として使用することもできる。
【００１３】請求項４に記載の発明によれば、支柱部が基盤と着脱自在であり、両側手摺りタイプ、片側手摺りタイプとして使用することができので、身体の不自由な度合いに応じて選択することができる。また、突っ張り棒が基板に設けられ、玄関の幅に合わせて突っ張り棒の長さを調整し、アジャスターで玄関の側壁を押圧して固定できるので、倒れ防止だけでなく前後左右にずれるなどの動きを防止でき、安全に安心して使用することができる。更に、ビス、ネジで固定して傷跡を残すこともなく、美観を損ねることもない。また、使用後はアジャスターを緩めて取り除くことができるので、レンタルに適した手摺りとしても提供することができる。
【００１４】請求項５記載の発明によれば、上り框の上面（廊下の床面）に接地することができる補助支柱部を設けたので、基板の浮き上がり防止が図られより安定的に使用することができる。
【発明の効果】
【００１５】本発明では、寸法精度よく加工され支柱部と手摺りステーとの嵌合がスムースに行え、溶接個所が少なく加工工程が省力化でき、コストダウンが図れる。また、手摺り全体が前後左右に移動や揺動することがなく、ねじれなどにも強く、安全で安心なものを使用者に提供できる。また、両側支柱タイプ、右用また左用の片側支柱タイプを提供することができ、使用者、使用場所に適したものを選択することができる。また、ビスで固定することなく使用することもできるのでレンタルに適したものを提供することもできる。湾曲している把持部および高さ調整機能により、高齢者、身体障害者、片マヒの方などが段差のある所で昇り降りするのに適したものを提供できる。さらに着脱可能にしているからコンパクトに梱包でき輸送にも便利である。
【発明を実施するための最良の形態】
【００１６】以下、本発明の実施形態を図面に基づき説明する。
【実施例１】
【００１７】図１、図２、図３、図４は本発明に係る実施例１の介護用手摺りであり、図１はその左側面図、図２はその正面図、図３はその平面図、図４は手摺りの高さを高くした状態、および上り框の高さに合わせて脚柱を伸ばした状態を示す右側面図である。【００１８】図に示すように、本発明に係る介護用手摺りは、手摺り部１と支柱部２を備えた介護用手摺りであって、該支柱部２の上部に手摺り部１を備え、該支柱部２は縦支柱３上部支柱と脚柱とから構成され、該上部支柱は、縦支柱３の上部３ａと該縦支柱３に固定され上方にＬ字形状に曲げられているＬ字支柱４とで構成され、該脚柱は、縦支柱３の下部３ｂと該縦支柱３に固定され下方にＬ字形状に曲げられている逆Ｌ字支柱５とで構成され、手摺り部１は扁平状の鉄製パイプであり、手摺り部１の下部に手摺りステー１ａが取り付けられている。手摺りステー１ａはステーの一端に固定板１ｂが溶接されおり、固定板１ｂに設けられた孔を介して手摺り部１の下面にネジ止めされる。手摺りステー１ａは角筒状の鉄製パイプであり、間欠的に複数の孔が設けられ手摺りの高さを上下に調整できるようになっている。支柱との固定はノブボルトあるいは組み付けネジを用いて固定する。【００１９】縦支柱３の一端に手摺りステー１ａがスライド可能に挿入され、他端には脚固定板６が溶接され、該脚固定板６に孔６ａが設けられ、ビス、ネジなどで上り框の上面あるいは廊下の床面にビス止めされ固定される。
Ｌ字支柱４は、一端が縦支柱３に溶接され、他端は手摺りステー１ａがスライド可能に挿入されている。逆Ｌ字支柱５は、一端が縦支柱３に溶接され、他端は脚ステー５ａがスライド可能に挿入されており、脚ステー５ａの一端にアジャスター５ｂが螺合されている。脚ステー５ａには間欠的に複数個の孔５ｄが設けられており、床面と上り框の高さに合わせて調整し、逆Ｌ字支柱５に組み付けネジ５ｅで固定される。さらにアジャスター５ｂを回動させて微調整を行い床面に接地させる。【００２０】縦支柱３は、角筒状の鉄製パイプであり、Ｌ字支柱４と逆Ｌ字支柱５より一回り大きなサイズのメイン支柱である。Ｌ字支柱４と逆Ｌ字支柱５はサブ支柱であり、縦支柱３より一回り小さいサイズの角筒状の鉄製パイプでありＬ字形状に曲げ加工され、Ｌ字支柱４の一辺４ａと、逆Ｌ字支柱５の一辺５ｃが接合され、溶接またはボルトナットで固定される。
【実施例２】
【００２１】図５、図６、図７、図８は本発明に係る実施例２の介護用手摺りであり、図５はその左側面図、図６はその正面図、図７はその平面図、図８は上り框の高さに合わせて脚柱を伸ばした状態および上り框の高さに合わせて脚柱を伸ばした状態を示す右側面図である。
実施例１と同様のところは同一符号を用いて説明する。【００２２】図に示すように、実施例２は、手摺り部１と支柱部２を備えた介護用手摺りであって、該支柱部２の上部に手摺り部１を備え、該支柱部２はＵ字形状の上部支柱７と逆Ｕ字形状の脚柱８とから構成され、手摺り部１は、実施例１と同様に扁平状の鉄製パイプであり、手摺り部１の下部に手摺りステー１ａが取り付けられている。手摺りステー１ａはステーの一端に固定板１ｂが溶接されおり、固定板１ｂに設けられた孔を介して手摺り部１の下面にネジ止めされる。手摺りステー１ａは角筒状の鉄製パイプであり、間欠的に複数の孔が設けられ手摺りの高さを上下に調整できるようになっている。上部支柱７との固定はノブボルトあるいは組み付けネジを用いて固定する。【００２３】Ｕ字形状の上部支柱７は、Ｕ字形状の先端それぞれに手摺りステー１ａがスライド可能に挿入されている。
逆Ｕ字形状の脚柱８は、一端に脚固定板６が溶接されて設けられており、該脚固定板６に孔６ａが設けられ、ビス、ネジなどで上り框の上面あるいは廊下の床面にビス止めされ固定される。逆Ｕ字形状の脚柱８の他端は、脚ステー８ｂがスライド可能に挿入されており、脚ステー８ｂの一端にアジャスター８ｃが螺合されている。
脚ステー８ｂには間欠的に複数個の孔８ｄが設けられており、床面と上り框の高さに合わせて調整し、逆Ｕ字形状の脚柱８の他端に組み付けネジ８ｅで固定される。さらにアジャスター８ｃを回動させて微調整を行い床面に接地させる。【００２４】Ｕ字形状の上部支柱７と逆Ｕ字形状の脚柱８は、角筒状の鉄製パイプであり、Ｕ字形状に曲げ加工され、Ｕ字形状の上部支柱７の一辺７ａと、逆Ｕ字形状の脚柱８の一辺８ａが接合され、溶接またはボルトナットで固定される。
【実施例３】
【００２５】図９乃至図１４は本発明に係る実施例３の介護用手摺りであり、図９はその正面図、図１０はその平面図、図１１はその左側面図、図１２はその背面図、図１３は突っ張り棒を伸ばした状態の平面図、図１４は突っ張り棒を伸ばした状態の正面図である。【００２６】図に示すように、実施例３は、床面に載置される基板１１と、該基板上に溶接又は着脱可能に取り付けられる支柱部２と、支柱部２の上部に着脱可能に取り付けられる手摺り部１と、基板１１に溶接又は着脱可能に取り付けられ長さ調整が可能な突っ張り棒１２により構成されている。【００２７】基板１１は鉄製の平板を加工した長方形状のベース板であって、一辺に突っ張り棒を取り付けるための断面Ｌ字形状の棒状本体部が溶接又は着脱できるように固定されている。他の３辺には傾斜角をもった傾斜面１１ａが形成されている。そして、基板１１上に支柱部２が左右両側に立設され、基板１１に溶接するかもしくは基板１１の裏面からボルトナットで固定されている。【００２８】支柱部２は、縦支柱３とＬ字形支柱４と逆Ｌ字形脚柱５と補助支柱１３とからなり、実施例１と同様に上部支柱は、縦支柱３の上部３ａと該縦支柱３に固定され上方にＬ字形状に曲げられているＬ字形支柱４とで構成され、脚柱は、縦支柱３の下部３ｂと縦支柱３に固定され下方にＬ字形状に曲げられている逆Ｌ字形脚柱５とで構成されている。そして縦支柱３からＬ字形状の補助支柱１３が形成され、その先端にアジャスター１３ａが螺合して取り付けられている。アジャスター１３ａを回動させて上り框の上面あるいは廊下の床面と接地するように微調整を行う。補助支柱１３が上り框上面あるいは廊下の床面で支持されるので基板の浮き上がりを防止することができ、倒れることもない。補助支柱１３は縦支柱３に溶接で固定しているが、縦支柱３とスライドして高さを調節できるような補助支柱としてもよい。【００２９】手摺り部１は、実施例１と同様に手摺り本体と手摺りステー１ａとからなり、手摺りステー１ａと支柱との間で上下に高さ調整できる。
手摺り本体は、両端に水平な把持部とその水平な把持部の一方から他方の水平な把持部に向けて曲率半径が漸増または漸減して湾曲する把持部を有している。水平な把持部の先は下方に折曲している。通常の傾斜した把持部はどこを握っても同じ傾斜角であるが、湾曲した把持部は握る個所により傾斜角が異なるので使用者個人の握り易いところを選択することができ、昇り降りする際にスムースな移動が可能となり片マヒなどで困っている人に適する。
手摺り本体は扁平状の鉄製パイプであるが、樹脂を被覆してもよく、木製の手摺りであってもよい。手摺り部１の下部に手摺りステー１ａが取り付けられている。【００３０】手摺りステー１ａはステーの一端に固定板１ｂが溶接されおり、固定板１ｂに設けられた孔を介して手摺り部１の下面にネジ止めされる。手摺りステー１ａは角筒状の鉄製パイプであり、間欠的に複数の孔が設けられ手摺りの高さを上下に調整できるようになっている。支柱との固定はノブボルトあるいは組み付けネジを用いて固定する。【００３１】突っ張り棒１２は、棒状本体１２ａ、第一の延長部材（短い延長部材）１２ｂ、第二の延長部材（長い延長部材）１２ｃとからなり、棒状本体１２ａは基板１１に溶接して固定してもよく、ボルトナットなどで固定してもよい。断面Ｌ字形状の延長部材１２ｂ、１２ｃには間欠的に複数個の孔が設けられ、玄関の幅に合わせて棒状本体１２ａに組み付けネジで固定される。
延長部材１２ｂ、１２ｃの端部にはアジャスター１２ｄが螺合して取り付けられておりアジャスター１２ｄを回動させて玄関の側壁を押圧し、固定する。【００３２】本実施例では、短い延長部材を左側に長い延長部材を右側に棒状本体に取り付け、玄関の左側の壁面に沿って手摺りを設置することを説明したが、逆に、短い延長部材を右側に長い延長部材を左側に棒状本体に取り付けると玄関の右側の壁面に沿って手摺りを設置することもできる。突っ張り棒の長さは任意であるが、延長部材の長さを変えることより突っ張り棒の長さを調整することができる。棒状本体の長さは基板の幅と略同じ長さとし、延長部材の長さを変えて任意の長さにすることで、玄関の幅に合わせることができる。壁面との微調整はアジャスター部材の長さで調節することができる。例えば、突っ張り棒の全長が７０ｃｍから２００ｃｍである場合、長い延長部材の長さを５０ｃｍと１００ｃｍと１５０ｃｍのものを用意すればよい。【００３３】本実施例では、支柱部２が基板１１の両側に立設されているから使用者例えば片マヒの方などが常に前向きで昇り降りすることができるようになる。さらに、基板と支柱部との間が着脱可能なので、手摺り部と支柱部とを着脱でき、右側の支柱部と手摺り部を取り除けば左側用の手摺りとして使用でき、左側の支柱部と手摺り部を取り除けば右側用の手摺りとして使用することができる。
【実施例４】
【００３４】図１５は本発明に係る実施例４の介護用手摺りであり、図１５はその左側面図である。図９、図１０、図１２、図１３、図１４は実施例３と同様につき省略する。【００３５】  実施例４は実施例２および３と同様なので共通する部分の説明は省略する。
図１５に示すように、実施例４は、床面に載置される基板１１と、該基板上に着脱可能に取り付けられる支柱部２と、支柱部２の上部に着脱可能に取り付けられる手摺り部１と、基板１１に溶接あるいは着脱可能に取り付けられ長さ調整が可能な突っ張り棒１２により構成されている。【００３６】該支柱部２の上部に手摺り部１を備え、該支柱部２はＵ字形状の上部支柱７と逆Ｕ字形状の脚柱８とから構成され、Ｕ字形状の上部支柱７はＵ字形状の先端それぞれに手摺りステー１ａがスライド可能に挿入されている。
逆Ｕ字形状の脚柱８は、一端８ａが基板１１に固定され、逆Ｕ字形状の脚柱の他端は補助支柱１３として形成され、補助支柱１３の先端に取り付けられたアジャスター１３ａが上り框の上面あるいは廊下の床面と接地する。そして、基板１１と逆Ｕ字形状の脚柱８との間に縦脚柱１４が形成され、縦脚柱１４の一端は基板１１に溶接して固定され、他端は逆Ｕ字形状の脚柱８に溶接して固定されている。【００３７】Ｕ字形状の上部支柱７と逆Ｕ字形状の脚柱８は、角筒状の鉄製パイプであり、Ｕ字形状に曲げ加工され、Ｕ字形状の上部支柱７の一辺と、逆Ｕ字形状の脚柱８の一辺が接合され、溶接またはボルトナットで固定される。【００３８】上記説明のように、本発明は上記実施例に限定されるものではない。上記の実施例では鉄製角パイプであるがアルミ製でもよく、また丸パイプであってもよい。
上記実施例では基板に着脱可能で長さ調整が可能な突っ張り棒として棒状体に間欠的に穴のあいた棒体を組み付けネジで取り付けることを説明したが、棒状本体と延長部材をスライドさせて長さを調整できるようにして伸縮自在にしてもよい。【００３９】本発明の介護用手摺りは、玄関の上り框用手摺りとして適しているが、段差のある場所、例えば階段付近、縁側から庭先に降りるところなどにも使用することができる。【００４０】上述のように本発明は、高齢者、身体障害者、片マヒの方、足の弱い方など幅広く使用していただける介護用手摺りを提供するものである。
【図面の簡単な説明】
【００４１】
【図１】  実施例１の左側面図
【図２】  実施例１の正面図
【図３】  実施例１の平面図
【図４】  手摺りを上げて脚注を伸ばした状態を示す実施例１の右側面図
【図５】  実施例２の左側面図
【図６】  実施例２の正面図
【図７】  実施例２の平面図
【図８】  脚注を伸ばした状態を示す実施例２の右側面図
【図９】  実施例３の正面図
【図１０】  実施例３の平面図
【図１１】  実施例３の左側面図
【図１２】  実施例３の背面図
【図１３】  突っ張り棒を伸ばした状態を示す実施例３の平面図
【図１４】  突っ張り棒を伸ばした状態を示す実施例３の正面図
【図１５】  実施例４の左側面図
【符号の説明】
【００４２】１          手摺り部
１ａ        手摺りステー
２          支柱部
３          縦支柱
４          Ｌ字支柱
５          逆Ｌ字支柱
６          脚固定板
７          上部支柱
８          脚柱
１１        基板
１２        突っ張り棒
１３        補助支柱
１４        縦脚柱
【図１】
2011220090.tif 000003
【図２】
2011220090.tif 000004
【図３】
2011220090.tif 000005
【図４】
2011220090.tif 000006
【図５】
2011220090.tif 000007
【図６】
2011220090.tif 000008
【図７】
2011220090.tif 000009
【図８】
2011220090.tif 000010
【図９】
2011220090.tif 000011
【図１０】
2011220090.tif 000012
【図１１】
2011220090.tif 000013
【図１２】
2011220090.tif 000014
【図１３】
2011220090.tif 000015
【図１４】
2011220090.tif 000016
【図１５】
2011220090.tif 000017